(57)【要約】【課題】レンズ鏡筒の前面部における省スペース化を図るとともに、レンズバリアの操作性の向上を図る。【解決手段】レンズ鏡筒１２と、レンズ鏡筒１２の前面部より外方に臨まされた撮像レンズ１０の光軸と直交する方向に回動され、レンズ鏡筒１２の前面部の開閉を行い撮像レンズ１０を保護するレンズバリア１３と、レンズバリア１３を開閉操作する開閉機構１４とを備え、開閉機構１４は、レンズバリア１３の開閉動作と連動して撮像装置本体２の主電源のオン又はオフを行う。【選択図】図３
2004325518.tif 000002
【特許請求の範囲】
【請求項１】
レンズ鏡筒と、
上記レンズ鏡筒の前面部より外方に臨まされた撮像レンズの光軸と直交する方向に回動され、上記レンズ鏡筒の前面部の開閉を行い上記撮像レンズを保護するレンズバリアと、
上記レンズバリアを開閉操作する開閉機構とを備え、
上記開閉機構は、上記レンズバリアの開閉動作と連動して撮像装置本体の主電源のオン又はオフを行うカメラレンズバリア。
【請求項２】
上記レンズバリアは、上記撮像レンズを開放又は閉塞する一方側に回動付勢され、
上記開閉機構は、上記レンズバリアの回動アームと係合し上記撮像レンズの光軸方向にスライドすることにより該レンズバリアの回動を規制するスライドカムと、上記スライドカムと係合し該スライドカムを上記レンズバリアの開方向又は閉方向に付勢するトグルスイッチとを有することを特徴とする請求項１記載のカメラレンズバリア。
【請求項３】
上記トグルスイッチは、上記スライドカムが手動操作されることによって、操作方向に該スライドカムを付勢保持することを特徴とする請求項２記載のカメラレンズバリア。
【請求項４】
上記開閉機構は、上記レンズバリアと係合し、該レンズバリアの開方向又は閉方向に回動付勢するトグルスイッチを備え、
上記レンズバリアは、手動操作により上記開方向又は閉方向に回動され、上記開方向に回動されたとき、上記撮像装置本体の主電源スイッチと当接され、主電源を入力することを特徴とする請求項１記載のカメラレンズバリア。
【請求項５】
レンズ鏡筒と、
上記レンズ鏡筒の前面部より外方に臨まされた撮像レンズの光軸と直交する方向に回動され、上記レンズ鏡筒の前面部の開閉を行うことによって上記レンズを保護するレンズバリアと、
上記レンズバリアを開閉操作する開閉機構とを備えた撮像装置において、
上記開閉機構は、上記レンズバリアの開閉動作と連動して撮像装置本体の主電源のオン又はオフを行う撮像装置。
【請求項６】
上記レンズバリアは、上記レンズを開放又は閉塞する一方側に回動付勢され、
上記開閉機構は、上記レンズバリアの回動アームと係合し上記撮像レンズの光軸方向にスライドすることにより該レンズバリアの回動を規制するスライドカムと、上記スライドカムと係合し該スライドカムを上記レンズバリアの開方向又は閉方向に付勢するトグルスイッチとを有することを特徴とする請求項５記載の撮像装置。
【請求項７】
上記トグルスイッチは、上記スライドカムを手動操作することによって、操作方向に該スライドカムを付勢保持することを特徴とする請求項６記載の撮像装置。
【請求項８】
上記開閉機構は、上記レンズバリアと係合し、該レンズバリアの開方向又は閉方向に回動付勢するトグルスイッチを備え、
上記レンズバリアは、手動操作により上記開方向又は閉方向に回動され、上記開方向に回動されたとき、上記撮像装置本体の主電源スイッチと当接され、主電源を入力することを特徴とする請求項５記載の撮像装置。
【発明の詳細な説明】
【０００１】
【発明の属する技術分野】
本発明は、撮像装置に関し、特に撮像装置のレンズを保護するカメラレンズバリアに関する。
【０００２】
【従来の技術】
従来より、不使用時におけるレンズ表面の汚損を防止するレンズバリアを備えた撮像装置がある。この種の撮像装置１００は、図１１に示すように、略矩形状の筐体からなる装置本体１０１を備え、装置本体１０１内に撮像レンズが組み込まれた略円筒形状のレンズ鏡筒１０２と、撮像レンズを保護し汚損を防止するレンズバリア１０３とが設けられている。
【０００３】
レンズ鏡筒１０２は、前面１０２ａ側に一又は複数の撮像レンズ１０５が取り付けられるとともに、背面１０２ｂ側には撮像レンズ１０５を透過して入射された光を受けるＣＣＤ等の撮像素子１０６が配設されている。この撮像レンズ１０５は、レンズ鏡筒１０２の前面１０２ａ側に形成されており、装置本体１０１の前面部１０１ａに形成された開口部１０７から外方へ臨まされている。
【０００４】
この撮像レンズ１０５を保護するレンズバリア１０３は、撮像レンズ１０５よりもやや大きい面積を有する板状体からなる。このレンズバリア１０３は、装置本体１０１内に支持されることにより、装置本体１０１の前面部１０１ａを長手方向にスライド可能とされている。また、レンズバリア１０３は、開閉操作用の突部が形成され、この突部が装置本体１０１外へ突出している。従って、レンズバリア１０３は、ユーザが突部を操作することにより装置本体１０１の前面部１０１ａを長手方向にスライドし、撮像レンズ１０５を外方に臨ませる開口部１０７を覆う閉塞位置とこの開口部１０７を開放する開放位置とにわたって移動される。
【０００５】
そして、撮像装置１００は、撮影の際にはレンズバリア１０３の突部を操作して、撮像レンズ１０５の全面を開放する開放位置までレンズバリア１０３をスライドさせた後、撮影に移る。撮影終了後は、レンズバリア１０３を、撮像レンズ１０５の全面を覆う閉塞位置までスライドさせ、撮像レンズ１０５が塵埃等により汚損されることを防止する。
【０００６】
【特許文献１】
特開平１０−１４８８７１号公報
【特許文献２】
特開２００２−２５８１３３号公報
【０００７】
【発明が解決しようとする課題】
上述した撮像装置１００においては、レンズバリア１０３を装置本体１０１の前面部１０１ａに配設され、長手方向にスライド可能とされている。このため、装置本体１０１には、前面部１０１ａの長手方向にわたってレンズバリア１０３の移動スペースを確保する必要があり、装置本体１０１の小型化を図ることが困難であった。
【０００８】
また、撮像装置１００は、撮影を行う際には装置本体１０１に設けられた電源スイッチを操作して主電源を入れるとともに、レンズバリア１０３をスライドさせて撮像レンズ１０５を開放する必要があり、撮影終了後は、レンズバリア１０３をスライドさせて撮像レンズ１０５を塞ぐとともに、装置本体１０１の電源スイッチを操作して主電源を切る必要があるが、これらの操作をレンズバリア１０３による開閉操作と連動して行うことができれば操作の簡略化、部品点数の削減を図ることができ、便利である。
【０００９】
そこで、本発明は、レンズ鏡筒の前面部における省スペース化を図るとともに、レンズバリアの操作に連動して装置本体の主電源のオン又はオフ操作を行うことができるカメラレンズバリア及びこれを用いた撮像装置を提供することを目的とする。
【００１０】
【課題を解決するための手段】
上述した課題を解決するために、本発明に係るカメラレンズバリアは、レンズ鏡筒と、上記レンズ鏡筒の前面部より外方に臨まされた撮像レンズの光軸と直交する方向に回動され、上記レンズ鏡筒の前面部の開閉を行い上記撮像レンズを保護するレンズバリアと、上記レンズバリアを開閉操作する開閉機構とを備え、
上記開閉機構は、上記レンズバリアの開閉動作と連動して撮像装置本体の主電源のオン又はオフを行う。
【００１１】
また、本発明に係る撮像装置は、レンズ鏡筒と、上記レンズ鏡筒の前面部より外方に臨まされた撮像レンズの光軸と直交する方向に回動され、上記レンズ鏡筒の前面部の開閉を行うことによって上記レンズを保護するレンズバリアと、上記レンズバリアを開閉操作する開閉機構とを備えた撮像装置において、上記開閉機構は、上記レンズバリアの開閉動作と連動して撮像装置本体の主電源のオン又はオフを行う。
【００１２】
【発明の実施の形態】
以下、本発明が適用されたカメラレンズバリア及びこれを用いた撮像装置について、図面を用いて詳細に説明する。本発明が適用されたカメラレンズを用いた撮像装置１は、図１に示すように、略矩形状の筐体からなる装置本体２を有し、装置本体２は、駆動回路等を備え操作部が形成された本体部３と、撮像レンズが配設されたレンズ鏡体４と、レンズ鏡体４による映像を表示する液晶表示部５からなる。
【００１３】
撮像装置１は、図２に示すように、レンズ鏡体４が本体部３と着脱自在に形成されており、本体部３に装着したままでは撮影しづらい箇所にもレンズ鏡体４を向けることができ、撮影の自由度が高められている。また、撮像装置１は、レンズ鏡体４に詳細を省略する操作部、記録媒体収納部、画像処理部等を設け、レンズ鏡体４単体でも撮影可能に形成されている。また、撮像装置１は、液晶表示部５を本体部３より回動させ、液晶画面を操作者側に向けることができる。従って、本体部３を把持する操作者は、レンズ鏡体４に写る画像を容易に確認しながら撮影し、また、撮影した画像を再生することができる。
【００１４】
この撮像装置１のレンズ鏡体４は、図３及び図４に示すように、略矩形の長方体からなる筐体９を有し、筐体９内に、撮像レンズ１０及びＣＣＤ等の撮像素子１１が設けられたレンズ鏡筒１２と、図３に示す撮像レンズ１０の上面から図４に示す撮像レンズの前面に亘って回動し撮像レンズ１０を保護するレンズバリア１３と、レンズバリア１３を移動させる移動機構１４とを備える。
【００１５】
筐体９は、図３及び図４に示すように、前面部９ａに撮像レンズ１０を外方に臨ませる開口部１５が形成されている。また、筐体９の上面部９ｃには音声マイク１７が設けられている。
【００１６】
また、筐体９は、一側面部９ｅに、後述する移動機構１４のスライドカムが外方に臨まされ、スライド操作可能とされている操作開口部１８が形成されている。
【００１７】
撮像レンズ１０及び撮像素子１１を保持するレンズ鏡筒１２は、図５及び図６に示すように、前面部１２ａに撮像レンズ１０を保持するレンズホルダ２０が設けられ、背面部１２ｂにＣＣＤ等の撮像素子１１が収納される撮像素子収納部２１が形成されている。また、レンズ鏡筒１２は、側面部１２ｃに撮像レンズ１０の前面側を上下方向に回動することにより撮像レンズ１０を保護するレンズバリア１３が取り付けられ、底面部１２ｄにレンズバリアの回動を規制してレンズバリア１３を移動させる移動機構１４が形成されている。
【００１８】
レンズホルダ２０には、１又は複数の撮像レンズ１０が保持されている。また、撮像レンズ１０は、詳細を省略するフォカーシング機構により、光軸方向に沿って移動可能に保持されている。そして、撮像レンズ１０は、レンズ鏡体４に設けられた制御部からの制御信号を受けたフォーカシング機構によって焦点制御される。
【００１９】
また、撮像素子収納部２１に収納されたＣＣＤ素子等の撮像素子１１は、撮像レンズ１０に入射された画像を光電変換することにより画像信号を生成し、この画像信号を本体部３に形成された信号処理回路に出力する。
【００２０】
レンズ鏡筒１２の側面部１２ｃに回動可能に取り付けられたレンズバリア１３は、撮像レンズ１０を保護する略矩形状のバリア部２５と、バリア部２５の両側面部より延設される一対の回動アーム２６，２６と、回動アーム２６，２６を回動可能に支持する回動支持部２７，２７とを有する。
【００２１】
バリア部２５は、略矩形板状に形成されるとともに、回動方向に沿ってやや円弧状に湾曲して形成されている。また、バリア部２５は、撮像レンズ１０の全面を覆うに十分な大きさで形成されている。そして、バリア部２５は、回動アーム２６，２６と連接されることにより、回動アーム２６，２６の回動に伴って、撮像レンズ１０の前面から上面に亘って円弧状に回動される。
【００２２】
一対の回動アーム２６，２６は、先端部２６ａにおいてバリア部２５と連続されるとともに、基端部２６ｂにおいて回動支持部２７，２７によって回動可能にレンズ鏡筒１２の側面部に取り付けられている。そして、回動アーム２６，２６は、この回動支持部２７，２７に支持されることにより、撮像レンズ１０の光軸方向と略直交し、レンズ鏡体４の開口部１５を閉塞する図５及び図６中矢印Ｄ方向及び開口部１５を開放し撮像レンズ１０を外方に臨ませる図５及び図６中反矢印Ｄ方向に回動自在とされている。
【００２３】
回動アーム２６を支持する回動支持部２７の一方には、捻りコイルバネ３０が巻回されている。この捻りコイルバネ３０は、一端を回動アーム２６に係止され、他端をレンズ鏡筒１２に係止されることにより、回動アーム２６，２６を常時、バリア部２５が撮像レンズ１０を閉塞する図５及び図６中矢印Ｄ方向に付勢している。また、回動アーム２６，２６は、基端部２６ｂ側に、後述する移動機構１４のスライドカムに形成された係合凸部と係合される係合凹部２８が形成されている。この係合凹部２８は、略コ字状に形成され、スライドカムの係合凸部を摺動可能に狭持している。そして、回動アーム２６，２６は、係合凹部２８が係合凸部を介してスライドカムのスライドに応じて移動されることにより、図５及び図６中矢印Ｄ方向又は反矢印Ｄ方向に回動される。
【００２４】
なお、レンズ鏡筒１２の側面部１２ｃには、回動アーム２６，２６の回動領域を規制する上下ストッパー壁２２，２３が形成されており、回動アーム２６，２６は、これら上下ストッパー壁２２，２３間に亘って回動される。
【００２５】
このようなレンズバリア１３は、レンズ鏡筒１２の両側面部に設けられ、撮像レンズ１０の光軸方向と直交する方向を回動軸とする回動支持部２７に回動自在に支持されることにより、撮像レンズ１０の光軸と略直交する図５及び図６中矢印Ｄ方向又は反矢印Ｄ方向に回動可能とされる。そして、レンズバリア１３は、回動アーム２６が係合凹部２８を介してスライドカムに回動されるされることにより、撮像レンズ１０を閉塞する図４及び図５中矢印Ｄ方向又は反矢印Ｄ方向に回動され、撮像レンズが汚損されることを防止する撮像レンズ１０の前面位置から、バリア部２５が撮像レンズ１０を開放させる撮像レンズ１０の上面位置間に亘って回動される。
【００２６】
この回動アーム２６，２６の回動を規制することによりレンズバリア１３を移動させる移動機構１４は、レンズ鏡筒１２の底面部１２ｄに形成されている。この移動機構１４は、回動アーム２６，２６を押圧するスライドカム３１と、撮像レンズ１０の光軸方向と平行に配設されスライドカム３１の移動をガイドする一対のガイド軸３２，３２と、スライドカム３１をガイド軸３２，３２の一端側及び他端側に亘って付勢するトグルバネ３３とを有する。
【００２７】
スライドカム３１は、図５及び図６に示すように、略矩形板状のカム本体３５と、カム本体３５と連続され上述した回動アーム２６の係合凹部２８に摺動自在に係合される係合凸部３６と、トグルバネ３３の一端部と係合しトグルバネ３３に付勢される係止壁３７とを有する。カム本体３５は、前面から背面にかけて一対のガイド軸３２，３２が挿通される一対の挿通孔３８，３８が穿設されている。カム本体３５は、撮像レンズ１０の光軸方向と平行に配設されたガイド軸３２，３２にガイドされることにより、撮像レンズ１０の光軸方向と平行である図５及び図６中矢印Ｅ方向及び反矢印Ｅ方向に移動自在とされている。
【００２８】
また、スライドカム３１は、カム本体３５が筐体９の一側面部９ｅに設けられた操作開口部１８から外方に臨まされ、撮像装置１の操作者によってスライド操作可能とされている。
【００２９】
このカム本体３５の一側面部からは、回動アーム２６の係合凹部２８に狭持されている係合凸部３６が延設されている。係合凸部３６は、略コ字状に係止された係合凹部２８に狭持され、カム本体３５の移動に応じて、回動アーム２６の係合凹部２８を図５及び図６中矢印Ｅ方向又は反矢印Ｅ方向に移動させる。
【００３０】
トグルバネ３３が係止される係止壁３７は、カム本体３５の背面側に立ち上がり形成されている。係止壁３７よりトグルバネ３３の付勢力を受けることにより、カム本体３５は、図３及び図４中矢印Ｅ方向又は反Ｅ矢印方向に移動される。
【００３１】
トグルバネ３３は、一端をレンズ鏡筒１２側に係止されるとともに、他端をスライドカム３１の係止壁３７に係止されている。そして、トグルバネ３３は、図４に示すように、スライドカム３１がレンズ鏡筒１２の背面部１２ｂ側にスライドされると、カム本体３５をレンズ鏡筒１２の背面部１２ｂ側に付勢し、図３に示すように、スライドカム３１がレンズ鏡筒１２の前面部１２ａ側にスライドされると、カム本体３５をレンズ鏡筒１２の前面部１２ａ側に付勢する。
【００３２】
このような移動機構１４は、撮像装置１の操作者によって、レンズ鏡体４の筐体９に設けられた操作開口部１８から臨まされているスライドカム３１が、レンズ鏡筒１２の前面部１２ａ側と背面部１２ｂ側との間をスライド操作される。
【００３３】
スライドカム３１が背面部１２ｂ側から前面部１２ａ側へスライド操作されると、トグルバネ３３が図４に示すカム本体３５を背面部１２ｂ側へ付勢する位置から、図３に示すカム本体３５を前面部１２ａ側へ付勢する位置に反転される。従って、スライドカム３１は、レンズ鏡筒１２の前面部１２ａ側に保持される。スライドカム３１のスライドに伴い、カム本体３５の係合凸部３６が回動アーム２６の係合凹部２８を図５及び図６中矢印Ｅ方向に移動させ、回動アーム２６，２６が図５及び図６中反矢印Ｄ方向に回動される。これにより、バリア部２５が撮像レンズ１０を開放し、撮影可能な状態とされる。
【００３４】
ここで、スライドカム３１はトグルバネ３３の付勢力によってレンズ鏡筒１２の前面１２ａ側に保持される。また、回動アーム２６，２６も図５及び図６中反矢印Ｄ方向に回動された状態を保持されることにより、レンズバリア１３は、バリア部２５が撮像レンズ１０を開放する状態が保持される。
【００３５】
一方、操作者によりスライドカム３１が前面部１２ａ側から背面部１２ｂ側へスライド操作されると、トグルバネ３３が図３に示すカム本体３５を前面部１２ａ側へ付勢する位置から、図４に示すカム本体３５を背面部１２ｂ側へ付勢する位置に反転される。従って、スライドカム３１はレンズ鏡筒１２の背面部１２ｂ側に保持される。スライドカム３１のスライドに伴い、カム本体３５の係合凸部３６も、図５及び図６中反矢印Ｅ方向に移動され、回動アーム２６も、係合凸部３６の移動に伴って係合凹部２８が図５及び図６中反矢印Ｅ方向に移動される。これにより、レンズバリア１３は、回動アーム２６，２６が図５及び図６中矢印Ｄ方向に回動され、バリア部２５が撮像レンズ１０を閉塞する。
【００３６】
また、レンズ鏡筒１２の前面部１２ａ側には、スライドカム３１のカム本体３５と対向して、単体で撮影可能に形成されているレンズ筐体４の主電源スイッチ４０が設けられている。主電源スイッチ４０は、レンズ鏡筒１２の前面部１２ａ側にスライドされたスライドカム３１のカム本体３５と当設することにより、レンズ筐体４の主電源を入れる。また、主電源スイッチ４０は、スライドカム３１がレンズ鏡筒１２の背面部１２ｂ側にスライドされ、カム本体３５と離間すると、レンズ筐体４の主電源を切る。
【００３７】
以上のような構成を有する本撮像装置１は、使用前においては、図６に示すように、スライドカム３１がレンズ鏡筒１２の背面部１２ｂ側に保持されると共に、回動アーム２６，２６の係合凹部２８が係合凸部３６に背面部１２ｂ側に移動されることにより矢印Ｄ方向に回動され、撮像レンズ１０がレンズバリア１３によって閉塞されている。
【００３８】
そして、撮影時においては、操作者によってレンズ鏡体４の操作開口部１８より臨まされているスライドカム３１がレンズ鏡筒１２の前面部１２ａ側にスライドされる。これにより、レンズバリア１３は、係合凹部２８がカム本体３５の係合凸部３６により図４中矢印Ｅ方向に移動され、回動アーム２６，２６が図５中反矢印Ｄ方向に回動される。回動アーム２６，２６が反矢印Ｄ方向に回動されることにより、レンズバリア１３のバリア部２５は上方へ回動され撮像レンズ１０を開放し、撮影可能とする。
【００３９】
また、スライドカム３１がレンズ鏡筒１２の前面部１２ａ側にスライドされることにより、カム本体３５の係止壁３７に係止されているトグルバネ３３は付勢方向が反転され、カム本体３５を図３中矢印Ｅ方向に付勢する。従って、カム本体３５は、前面部１２ａ側に保持される。これにより、回動アーム２６，２６の係合凹部２８もレンズ鏡筒１２の前面部１２ａ側に保持され、レンズバリア１３が撮像レンズ１０を開放する状態を維持する。
【００４０】
さらに、スライドカム３１は、カム本体３５がレンズ鏡筒１２の前面部１２ａ側に保持されることにより、主電源スイッチ４０と当接される。これにより、レンズ鏡体４は、装置本体２の主電源が入り、撮影準備が整う。
【００４１】
このように、本撮像装置１によれば、スライドカム３１をスライド操作させることによって、撮像レンズ１０の汚損を防止するレンズバリア１３を光軸と略直交する上方に回動させ、撮像レンズ１０を開放するとともに、このレンズバリア１３の回動と連動して単体で撮影可能に形成されたレンズ鏡体４の主電源を入れることができる。従って、本撮像装置１は、レンズ鏡筒１２の前面部１２ａにレンズバリア１３の回動スペースを大きく設ける必要がなく、装置本体２の小型化を図ることができる。また、本撮像装置１は、レンズバリア１３の回動と連動してレンズ鏡体４の主電源を投入することができ、撮影の準備に要する操作の簡略化及び部品点数の削減を図ることができる。
【００４２】
また、本撮像装置１は、撮影が終了すると、操作者によってスライドカム３１がレンズ鏡筒１２の背面部１２ｂ側にスライドされる。これにより、レンズバリア１３は、カム本体３５の係合凸部３６によって回動アーム２６の係合凹部２８が図６中矢印Ｄ方向に回動される。回動アーム２６，２６が矢印Ｄ方向に回動されることにより、レンズバリア１３のバリア部２５は、下方へ回動され撮像レンズ１０を閉塞し、汚損等から保護する。
【００４３】
また、スライドカム３１がレンズ鏡筒１２の背面部１２ｂ側にスライドされることにより、カム本体３５の係止壁３７に係止されているトグルバネ３３は付勢方向が反転され、カム本体３５を図４中反矢印Ｅ方向に付勢する。従って、カム本体３５は、背面部１２ｂ側に保持され、レンズバリア１３は、撮像レンズ１０を閉塞した状態に保持される。
【００４４】
さらに、スライドカム３１がレンズ鏡筒１２の背面部１２ｂ側にスライドされ、カム本体３５が背面部１２ｂ側に保持されると、撮像装置１は、カム本体３５と主電源スイッチ４０との当接が解かれることにより、レンズ鏡体４の主電源が切られる。
【００４５】
このように、本撮像装置１によれば、スライドカム３１をスライド操作させることによって、撮像レンズ１０の汚損を防止するレンズバリア１３を光軸と略直交する下方に回動させ、撮像レンズ１０を保護するとともに、このレンズバリア１３の回動と連動して単体で撮影可能に形成されたレンズ鏡体４の主電源を切ることができる。従って、本撮像装置１は、レンズ鏡筒１２の前面部１２ａにレンズバリア１３の回動スペースを大きく設ける必要がなく、装置の小型化を図ることができる。また、撮像装置１は、レンズバリア１３の回動操作と連動してレンズ鏡体４の主電源を切ることができ、撮影が終了した後の操作の簡略化及び部品点数の削減を図ることができる。
【００４６】
また、本発明が適用されたカメラレンズバリア及びこれを用いた撮像装置は、レンズバリアを上下バリア部に分割して構成してもよい。以下、上下バリア部を備えたレンズバリア５１を備えた撮像装置５０について説明する。なお、上記撮像装置１と同一の部材については同一の符号を付してその詳細を省略する。
【００４７】
このレンズバリア５１は、図７及び図８に示すように、上下バリア部５２，５３と、上下バリア部５２，５３の両側面部より延設される各一対の上下回動アーム５４，５５と、上下回動アーム５４，５５を回動可能に支持する上下回動支持部５６，５７とを有する。
【００４８】
上下バリア部５２，５３は、略矩形状に形成されるとともに、撮像レンズ１０の光軸方向と略直交する回動方向に沿ってやや円弧状に湾曲して形成されている。また、上下バリア部５２，５３は、突き合わせられることにより撮像レンズ１０の全面を覆うに十分な大きさで形成されている。そして、上バリア部５２は上回動アーム５４と、下バリア部５３は下回動アーム５５と連接されることにより、各々、上下回動アーム５４，５５の回動に伴って、撮像レンズ１０の前面から上面又は下面に亘って円弧状に回動される。
【００４９】
各一対の上下回動アーム５４，５５は、先端部５４ａ，５５ａにおいて上下バリア部５２，５３と連続されるとともに、基端部５４ｂ，５５ｂにおいて上下回動支持部５６，５７によって回動可能にレンズ鏡筒１２の側面部に取り付けられている。そして、各一対の上下回動アーム５４，５５は、この上下回動支持部５６，５７に支持されることにより、撮像レンズ１０の光軸方向と略直交し、撮像レンズ１０を開放又は閉塞する図７及び図８中矢印Ｆ方向又は反矢印Ｆ方向に回動される。
【００５０】
また、上下回動アーム５４，５５は、基端部５４ｂ，５５ｂに互いに係合するギア部５９，６０が形成されている。このギヤ部５９，６０を介して、上下回動アーム５４，５５は、連動して互いに逆方向に回動される。即ち、下回動アーム５５が図７中矢印Ｆ方向に回動されると、連動して上回動アーム５４は、図７中反矢印Ｆ方向に回動される。これにより上下回動アーム５４，５５の先端部５４ａ，５５ａに連接された上下バリア部５２，５３は、互いに撮像レンズ１０の前面側に回動し、撮像レンズ１０を閉塞する。また、下回動アーム５５が図８中反矢印Ｆ方向に回動されると、連動して上回動アーム５４は、図８中矢印Ｆ方向に回動される。これにより上下バリア部５２，５３は、互いに撮像レンズ１０の上下面側に回動し、撮像レンズ１０を開放する。
【００５１】
また、下回動アーム５５は、上記撮像装置１の回動アーム２６と同様に、スライドカム３１の係合凸部３６を摺動自在に狭持する係合凹部２８が形成され、スライドカム３１が図７及び図８中矢印Ｅ方向又は反矢印Ｅ方向にスライドされることにより、係合凹部２８が係合凸部３６に移動されて図７及び図８中矢印Ｆ方向又は反矢印Ｆ方向に回動される。この下回動アーム５５の動作に連動して、ギヤ部５９，６０を介して上回動アーム５４も図７及び図８中反矢印Ｆ又は矢印Ｆ方向に回動される。
【００５２】
このレンズバリア５１を移動させる移動機構１４は、上述したように、スライドカム３１と、スライドカム３１の移動をガイドする一対のガイド軸３２，３２と、スライドカム３１をガイド軸３２，３２の一端側及び他端側に亘って付勢するトグルバネ３３とを有する。
【００５３】
スライドカム３１は、下回動アーム５５の係合凹部２８に摺動自在に狭持される係合凸部３６が形成されている。この係合凸部３６は、下回動アーム５５の係合凹部２８に狭持され、スライドカム３１がスライド操作されることにより下回動アーム５５を図７及び図８中矢印Ｅ方向又は反矢印Ｅ方向に押圧する。
【００５４】
またレンズ鏡筒１２の背面部１２ｂ側には、スライドカム３１のカム本体３５と対向して、レンズ鏡体４の主電源スイッチ６２が形成されている。主電源スイッチ６２は、レンズ鏡筒１２の背面部１２ｂ側にスライドされたスライドカム３１のカム本体３５と当接することにより、レンズ鏡体４の主電源を入れる。また、主電源スイッチ６２は、スライドカム３１がレンズ鏡筒１２の前面部１２ａ側にスライドされ、カム本体３５と離間すると、レンズ鏡体４の主電源を切る。
【００５５】
このような撮像装置５０は、使用前においては、図７に示すように、スライドカム３１がレンズ鏡筒１２の前面部１２ａ側に保持されるとともに、下回動アーム５５が係合凸部３６を狭持する係合凹部２８を介して、撮像レンズ１０を閉塞する矢印Ｆ方向に回動され、下回動アーム５５に連動して上回動アーム５４も撮像レンズ１０を閉塞する反矢印Ｆ方向に回動されることにより、上下バリア部５２，５３が撮像レンズ１０の前面に回動され、撮像レンズ１０を保護している。
【００５６】
そして、撮像装置５０は、撮影時において、操作者によってスライドカム３１がレンズ鏡筒１２の背面部１２ｂ側にスライドされる。これにより、下回動アーム５５は、係合凹部２８がカム本体３５の係合凸部３６により図８中反矢印Ｅ方向に移動され、図８中反矢印Ｆ方向に回動される。また、下回動アーム５５が反矢印Ｆ方向に回動されることにより、下バリア部５３は下方に回動され撮像レンズ１０を開放する。同時に、下回動アーム５５の回動に連動して、ギヤ部５９，６０を介して上回動アーム５４が矢印Ｆ方向に回動される。従って、撮像装置５０は、上下バリア部５２，５３が撮像レンズ１０の前面から上下面に回動され、撮像レンズ１０を開放し、撮影可能とする。
【００５７】
また、スライドカム３１がレンズ鏡筒１２の背面部１２ｂ側にスライドされることにより、カム本体３５の係止壁３７に係止されているトグルバネ３３は付勢方向が反転され、カム本体３５を図８中反矢印Ｅ方向に付勢する。従って、カム本体３５は、背面部１２ｂ側に保持されてレンズバリア５１が撮像レンズ１０を開放する状態を保持する。
【００５８】
さらに、スライドカム３１は、カム本体３５がレンズ鏡筒１２の背面部１２ｂ側に保持されることにより、主電源スイッチ６２と当接される。これにより、撮像装置５０は、レンズ鏡体４の主電源が入り、撮影準備が整う。
【００５９】
また、撮像装置５０は、撮影が終了すると、操作者によってスライドカム３１がレンズ鏡筒１２の前面部１２ａ側にスライドされる。これにより、レンズバリア５１は、カム本体３５の係合凸部３６が前面部１２ａ側にスライドすることにより係合凹部２８を介して下回動アーム５５が図７中矢印Ｆ方向に回動される。また、下回動アーム５５の矢印Ｆ方向への回動と連動して、ギヤ部５９，６０を介して上回動アーム５４が反矢印Ｆ方向に回動される。従って、上下バリア部５２，５３が撮像レンズ１０の前面に回動され、撮像レンズ１０を閉塞し、汚損等から保護する。
【００６０】
また、スライドカム３１がレンズ鏡筒１２の前面部１２ａ側にスライドされることにより、カム本体３５の係止壁３７に係止されているトグルバネ３３は、付勢方向が反転され、カム本体３５を図７中矢印Ｅ方向に付勢する。従って、カム本体３５は、前面部１２ａ側に保持され、レンズバリア５１は、撮像レンズ１０を閉塞した状態に保持される。
【００６１】
さらに、スライドカム３１がレンズ鏡筒１２の前面部１２ａ側にスライドされることにより、カム本体３５が前面部１２ａ側に保持されると、レンズ鏡体４は、カム本体３５と主電源スイッチ６２との当接が解かれることにより、主電源が切られる。
【００６２】
このように、本撮像装置５０によれば、スライドカム３１をスライド操作させることによって、撮像レンズ１０の汚損を防止するレンズバリア５１を撮像レンズ１０の光軸と略直交する上下方向に回動させ、撮像レンズ１０の開閉を行うとともに、開閉操作に連動してレンズ鏡体４の主電源のオン又はオフを行うことができる。従って、本撮像装置５０は、レンズ鏡筒１２の前面部１２ａ側にレンズバリア５１の回動スペースを大きく設ける必要がなく、装置の小型化を図ることができる。また、撮像装置５０は、レンズバリア５１の回動とレンズ鏡体４の主電源のオン、オフとを連動して行うことができ、撮影時及び撮影終了後の操作の簡略化及び部品点数の削減を行うことができる。
【００６３】
また、本発明が適用されたカメラレンズバリア及びこれを用いた撮像装置は、操作者がレンズバリアを直接回動させることにより、撮像レンズを開閉させてもよい。以下、操作者がレンズバリアを直接回動させる撮像装置７０について説明する。なお、上記撮像装置１と同一の部材については同一の符号を付してその詳細を省略する。
【００６４】
この撮像装置７０のレンズ鏡体７２は、図９及び図１０に示すように、撮像レンズ１０及び撮像素子１１等が設けられたレンズ鏡筒１２及び撮像された映像データが記録される記録媒体７１が収納される記録媒体収納部７３とを備える。またレンズ鏡体７２は、前面部７２ａに撮像レンズ１０を外方に臨ませる開口部７４が形成され、背面部７２ｂに撮影した映像を映し出すＬＣＤ（ｌｉｑｕｉｄ  ｃｒｙｓｔａｌ
ｄｉｓｐｌａｙ）パネル７５が形成されている。
【００６５】
また、レンズ鏡体７２は、撮像レンズ１０を臨ませる開口部７４の前面側を上下方向に回動することにより撮像レンズ１０を保護するレンズバリア７６が取り付けられている。レンズバリア７６は、上記撮像装置１に設けられたレンズバリア１３と同様に、バリア部７７と、一対の回動アーム７８，７８と、回動アーム７８，７８を回動可能に支持する回動支持部７９，７９とを有する。
【００６６】
レンズバリア７６は、回動アーム７８，７８がレンズ鏡体７２の側面部７２ｃに形成された回動支持部７９，７９によって回動可能に支持されることにより、回動アーム７８，７８の先端部に連接されているバリア部７７が、撮像レンズ１０の光軸と略直交するレンズ鏡体７２の前面部７２ａから上面部７２ｄに亘って回動される。
【００６７】
また、レンズバリア７６は、回動支持部７９近傍に、回動アーム７８，７８をレンズ鏡体７２の前面部７２ａ側又は上面部７２ｄ側に向かって付勢するトグルバネ８０が係止されている。トグルバネ８０は、レンズバリア７６がレンズ鏡体７２の前面部７２ａ側に回動されているときは、バリア部７７によりレンズ鏡体７２の開口部７４を閉塞する図９中矢印Ｇ方向に回動アーム７８を付勢する。また、トグルバネ８０は、レンズバリア７６がレンズ鏡体７２の上面部７２ｄ側に回動されると、付勢方向が反転され、バリア部７７が開口部７４を開放する図１０中反矢印Ｇ方向に回動アーム７８を付勢する。
【００６８】
レンズ鏡体７２は、レンズバリア７６がレンズ鏡体７２の上面部７２ｄ側に回動されたときの回動アーム７８の回動位置に、レンズ鏡体７２の主電源スイッチ８２が設けられている。主電源スイッチ８２は、レンズ鏡体７２の上面部７２ｄ側に回動されたレンズバリア７６の回動アーム７８，７８と当接することにより、レンズ鏡体７２の主電源を入れる。また、主電源スイッチ８２は、レンズ鏡体７２の前面部７２ａ側に回動されたレンズバリア７６の回動アーム７８，７８が離間することにより、レンズ鏡体７２の主電源を切る。
【００６９】
以上のような撮像装置７０は、使用前においては、図９に示すように、レンズバリア７６がレンズ鏡体７２の前面部７２ａ側に保持され、撮像レンズ１０を臨ませる開口部７４を閉塞している。このとき、レンズバリア７６の回動アーム６８は、トグルバネ８０によって開口部７４を閉塞する図９中矢印Ｇ方向に付勢されている。
【００７０】
そして、撮影時においては、操作者によってレンズバリア７６がレンズ鏡体７２の上面部７２ｄ側に回動される。これにより、開口部７４が開放され、撮像レンズ１０が外方に臨まされる。また、レンズバリア７６は、上面部７２ｄ側に回動されることによりトグルバネ８０の付勢方向が反転され、バリア部７７が開口部７４を開放する図１０中反矢印Ｇ方向に回動アーム７８が付勢される。従って、レンズバリア７６は、トグルバネ８０の付勢力によりバリア部７７がレンズ鏡体７２の上面部７２ｄ側に保持され、撮影中は開口部７４を開放する。
【００７１】
また、撮像装置７０は、回動アーム７８がレンズ鏡体７２の上面部７２ｄ側に回動されることにより主電源スイッチ８２と当設し、レンズ鏡体７２の電源が入力され、撮影可能とされる。
【００７２】
撮影が終了すると、操作者によってレンズバリア７６がレンズ鏡体７２の前面部７２ａ側に回動される。これにより、開口部７４が閉塞され、撮像レンズ１０が塵埃等により汚損されることが防止できる。また、レンズバリア７６は、前面部７２ａ側に回動されることによりトグルバネ８０の付勢方向が反転され、バリア部７７が開口部７４を閉塞する図９中矢印Ｇ方向に回動アーム７８が付勢される。従って、レンズバリア７６は、トグルバネ８０の付勢力によりバリア部７７がレンズ鏡体７２の前面部７２ａ側に保持され、不使用時は開口部７４を閉塞する。
【００７３】
また、撮像装置７０は、回動アーム７８がレンズ鏡体７２の前面部７２ａ側に回動されることにより主電源スイッチ８２と離間し、レンズ鏡体７２の主電源が切られる。
【００７４】
このように、本撮像装置７０によれば、レンズバリア７６が操作者によって直接回動されることによって、バリア部７７が撮像レンズ１０の光軸と略直交するレンズ鏡体７２の前面部７２ａと上面部７２ｄとに亘って回動され、撮像レンズ１０を外方に臨ませる開口部７４の開閉を行うとともに、開閉操作に連動してレンズ鏡体７２の主電源のオン又はオフを行うことができる。従って、撮像装置７０は、レンズ鏡体７２の前面部７２ａ側にレンズバリア７６の回動スペースを大きく設ける必要がなく、装置の小型化を図ることができる。また、撮像装置７０は、レンズバリア７６の回動とレンズ鏡体７２の主電源のオン、オフとを連動して行うことができ、撮影時及び撮影終了後の操作の簡略化及び部品点数の削減を行うことができる。
【００７５】
なお、本発明が適用された撮像装置は、カメラ鏡体を着脱自在に形成するのみならず、装置本体２の本体部とレンズ鏡体とが一体に形成されて着脱不可能とされた撮像装置に適用してもよい。
【００７６】
【発明の効果】
以上、詳細に説明したように、本発明に係るカメラレンズバリア及び撮像装置によれば、スライドカムをスライド操作させることによって、撮像レンズの汚損を防止するレンズバリアを光軸と略直交する方向に回動させ、撮像レンズの開閉を行うとともに、このレンズバリアの回動と連動してレンズ鏡体の主電源のオン又はオフを行うことができる。従って、本撮像装置は、レンズ鏡筒の前面部にレンズバリアの回動スペースを大きく設ける必要がなく、装置の小型化を図ることができる。また、本撮像装置は、レンズバリアの回動操作と連動して電源をオン又はオフを行うことができ、撮影開始時及び撮影が終了した後の操作の簡略化及び部品点数の削減を図ることができる。
【図面の簡単な説明】
【図１】本発明が適用された撮像装置を示す斜視図である。
【図２】レンズ鏡体が分離された撮像装置を示す斜視図である。
【図３】レンズバリアにより撮像レンズが開放されているレンズ鏡筒を示す側面図である。
【図４】レンズバリアにより撮像レンズが閉塞されているレンズ鏡筒を示す側面図である。
【図５】レンズバリアにより撮像レンズが開放されたレンズ鏡筒を示す斜視図である。
【図６】レンズバリアにより撮像レンズが閉塞されたレンズ鏡筒を示す斜視図である。
【図７】上下バリア部を備えたレンズバリアを有するレンズ鏡筒を示す側面図である。
【図８】上下バリア部を備えたレンズバリアを有するレンズ鏡筒を示す側面図である。
【図９】レンズバリアを手動開閉可能に形成したレンズ鏡体を示す側面図である。
【図１０】レンズバリアを手動開閉可能に形成したレンズ鏡体を示す側面図である。
【図１１】従来の撮像装置を示す斜視図である。
【符号の説明】
１  撮像装置、２  装置本体、３  本体部、４  レンズ鏡体、９  筐体、１０  撮像レンズ、１１  撮像素子、１２  レンズ鏡筒、１３  レンズバリア、１４  移動機構、１５  開口部、１７  音声マイク、１８  操作開口部、２２  上ストッパー壁、２３  下ストッパー壁、２５  バリア部、２６  回動アーム、２７  回動支持部、２８  当接部、３０  捻りコイルバネ、３１  スライドカム、３２ガイド軸、３３  トグルバネ、３５  カム本体、３６  係合凸部、３７  係止壁、４０  主電源スイッチ、４２  係合凸部、４３  係合凹部、５０  撮像装置、５１  レンズバリア、５２  上バリア部、５３  下バリア部、５４  上回動アーム、５５  下回動アーム、５６，５７  回動支持部、５９，６０  ギヤ部、６２  主電源スイッチ、７０  撮像装置、７１  記録媒体、７２  レンズ鏡体、７４  開口部、７６  レンズバリア、７７  バリア部、７６  回動アーム、７８  回動支持部、８０  トグルバネ、８２  主電源スイッチ
【図１】
2004325518.tif 000003
【図２】
2004325518.tif 000004
【図３】
2004325518.tif 000005
【図４】
2004325518.tif 000006
【図５】
2004325518.tif 000007
【図６】
2004325518.tif 000008
【図７】
2004325518.tif 000009
【図８】
2004325518.tif 000010
【図９】
2004325518.tif 000011
【図１０】
2004325518.tif 000012
【図１１】
2004325518.tif 000013